(57)【要約】【課題】配管を素早く束ねることを可能にする配管整理治具を提供すること。【解決手段】配管整理治具１は、加工装置の各構成ユニットに接続した複数の配管１０１を整列、整理するための治具である。配管整理治具１は、直方体形状のブロック２と、ブロック２に形成された配管１０１を通す貫通孔３と、貫通孔３を囲繞する４つの外側面２６に設置された磁石５と、を備える。配管整理治具１は、磁石５によって複数のブロック２同士が連結可能である。【選択図】図１
2020159517.tif 000002
【特許請求の範囲】
【請求項１】
配管を整理する配管整理治具であって、
直方体形状のブロックと、
該ブロックに形成された配管を通す貫通孔と、
該貫通孔を囲繞する４つの側面に設置された磁石と、を備え、
該磁石によって複数の該ブロックが連結可能であることを特徴とする配管整理治具。
【請求項２】
該ブロックは柔軟性をもつ樹脂で形成され、
該ブロックの側面には、
該ブロックの上面から底面にいたる１本のスリットが形成され、
該スリットは該貫通孔と連通していることを特徴とする請求項１に記載の配管整理治具。
【発明の詳細な説明】
【技術分野】
【０００１】
本発明は、配管を整理する配管整理治具に関する。
【背景技術】
【０００２】
加工装置内には、純水やエア、切削液等様々な流体を供給するチューブや電機配線等の様々な配管が存在する。加工装置は、配管をまとめて束ねることが出来ないと装置内で配管が場所をとるため、結束バンド等で固定する事が一般的である（例えば、特許文献１参照）。
【先行技術文献】
【特許文献】
【０００３】
【特許文献１】特開平８−２８０９４７号公報
【発明の概要】
【発明が解決しようとする課題】
【０００４】
特許文献１に示された結束バンドは、加工装置内の狭いスペースで効率的に配管を束ねることは難しいという問題がある。
【０００５】
本発明は、かかる問題点に鑑みてなされたものであり、その目的は、配管を素早く束ねることを可能にする配管整理治具を提供することである。
【課題を解決するための手段】
【０００６】
上述した課題を解決し、目的を達成するために、本発明の配管整理治具は、配管を整理する配管整理治具であって、直方体形状のブロックと、該ブロックに形成された配管を通す貫通孔と、該貫通孔を囲繞する４つの側面に設置された磁石と、を備え、該磁石によって複数の該ブロックが連結可能であることを特徴とする。
【０００７】
前記配管整理治具において、該ブロックは柔軟性をもつ樹脂で形成され、該ブロックの側面には、該ブロックの上面から底面にいたる１本のスリットが形成され、該スリットは該貫通孔と連通する。
【発明の効果】
【０００８】
本願発明は、配管を素早く束ねることを可能にするという効果を奏する。
【図面の簡単な説明】
【０００９】
【図１】図１は、実施形態１に係る配管整理治具の構成例を説明する斜視図である。
【図２】図２は、図１に示す配管整理治具により配管が整列される加工装置の構成を模式的に示す図である。
【図３】図３は、図１中のＩＩＩ−ＩＩＩ線に沿う配管整理治具の断面図である。
【図４】図４は、実施形態１に係る配管整理治具が図２に示された加工装置の配管に取り付けられる状態の一例を示す斜視図である。
【図５】図５は、図４に示された状態の配管整理治具が複数連結された状態の一例を示す断面図である。
【発明を実施するための形態】
【００１０】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１１】
〔実施形態１〕
本発明の実施形態１に係る配管整理治具を図面に基づいて説明する。図１は、実施形態１に係る配管整理治具の構成例を説明する斜視図である。図２は、図１に示す配管整理治具により配管が整列される加工装置の構成を模式的に示す図である。図３は、図１中のＩＩＩ−ＩＩＩ線に沿う配管整理治具の断面図である。
【００１２】
実施形態１に係る図１に示す配管整理治具１は、図２に示す加工装置１００内の複数の配管１０１を整列させて、整理する治具である。図２に示す加工装置１００は、ウェーハ等の被加工物を切削する切削装置、被加工物を研削する研削装置、又は被加工物をレーザー加工するレーザー加工装置である。実施形態１において、加工装置１００は、切削装置、研削装置又はレーザー加工装置であるが、本発明では、これらに限定されずに、種々の被加工物に各種の加工を施す装置であれば良い。
【００１３】
加工装置１００は、図２に示すように、複数の構成ユニット１０２を備える。構成ユニット１０２は、加工装置１００を構成するものであって、それぞれが加工装置１００の被加工物に対する加工動作の少なくとも一部を行うものである。構成ユニット１０２は、例えば、加工装置１００が切削装置である場合には、被加工物を保持するチャックテーブル、被加工物を切削する切削ユニット、切削装置の各構成ユニット１０２を制御する制御ユニット等であり、加工装置１００が研削装置である場合には、被加工物を保持するチャックテーブル、被加工物を研削する研削ユニット、研削装置の各構成ユニット１０２を制御する制御ユニット等である。
【００１４】
各構成ユニット１０２には、少なくとも配管１０１が一本接続されている。配管１０１は、各構成ユニット１０２に気体、液体等の流体を供給する円筒状のチューブである。また、一部の配管１０１は、構成ユニット１０２に電力を供給する電線でもある。このように、本発明でいう配管１０１とは、内側に気体と液体とのうちの少なくとも一方の流体を通す所謂チューブと、電力を供給する電線とを総称している。
【００１５】
配管１０１は、可撓性を有して、加工装置１００の予め定められた所定の経路に沿って配置される。また、構成ユニット１０２に接続された配管１０１は、図２に示すように、複数束ねられて、実施形態１では、配管整理治具１により互いに固定されて、加工装置１００外に導かれる。なお、複数の配管１０１は、必ずしも加工装置１００外に導かる必要はなく、異なる構成ユニット１０２へと導かれても良い。また、複数の配管１０１は、それぞれ、長さが予め定められているとともに、互いの相対的な位置が予め定められている。
【００１６】
実施形態１に係る配管整理治具１は、加工装置１００内の複数の配管１０１を予め定められた所定の経路に沿って配置するとともに、複数の配管１０１の予め定められた相対的な位置通りに複数の配管１０１を整列させて、整理するための治具である。配管整理治具１は、図１及び図３に示すように、ブロック２と、貫通孔３と、スリット４と、磁石５とを備える。
【００１７】
実施形態１では、ブロック２は、外形が直方体形状に形成され、角が面取りされた弧状部２１が形成されている。なお、実施形態１では、ブロック２は、図３に示すように、外形の平面視が長方形に形成され、厚さ２２が幅２３よりも短い直方体形状に形成されているが、本発明では、厚さ２２と幅２３とが等しい立方体形状に形成されても良い。
【００１８】
貫通孔３は、ブロック２に形成された配管１０１を通す孔である。実施形態１では、貫通孔３は、厚さ２２方向（厚さ２２と平行な方向）に沿って、ブロック２を貫通しており、図３に示すように、平面視において、ブロック２の中央に設けられ、円形に形成されている。即ち、貫通孔３は、ブロック２の外表面のうちの厚さ２２方向に間隔をあけて配置される上面２４と底面２５とに亘って、ブロック２を貫通している。
【００１９】
スリット４は、ブロック２の平坦な一つの外側面２６と他の外側面２６とに連なる側面である角部２７に形成されている。スリット４は、厚さ２２方向に沿って、上面２４から底面２５にいたって１本形成されている。スリット４は、ブロック２の角部２７を貫通して、貫通孔３と連通している。実施形態１では、ブロック２は、スリット４が形成されることで、平面視がＣ字形に形成されている。
【００２０】
また、ブロック２の上面２４と底面２５とに連なりかつ貫通孔３を囲繞する平坦な四つの外側面（側面に相当）２６には、それぞれ、磁石５を取り付けるための凹部２８が形成されている。凹部２８は、各外側面２６から凹に各外側面２６の中央に設けられ、平面形状が円形に形成されている。
【００２１】
磁石５は、中実材である永久磁石であって、貫通孔３を囲繞する四つの外側面２６に設けられた凹部２８内に設置されている。磁石５は、接着剤により凹部２８の内面に固定されている。実施形態１では、磁石５は、扁平な円柱状に形成されており、円形の各平面５１，５２の全体がＮ極又はＳ極となるように着磁されている。また、実施形態１では、磁石５は、ブロック２の凹部２８に固定されると、平面５１が外側面２６と同一平面となる。磁石５は、貫通孔３を挟んで対向する（互いの間に貫通孔３を位置付ける）平面５１の磁極同士が互いに異なる極となるように、ブロック２に固定される。
【００２２】
図３の例では、図中下側の磁石５の平面５１全体がＮ極に着磁されていると、図中上側の磁石５の平面５１全体がＳ極に着磁されている。また、図３の例では、図中右側の磁石５の平面５１全体がＮ極に着磁されていると、図中左側の磁石５の平面５１全体がＳ極に着磁されている。
【００２３】
ブロック２は、外側面２６それぞれに磁石５を備えるので、磁石５同士を磁力で吸着させることによって、複数のブロック２同士が連結可能である。
【００２４】
また、実施形態１では、ブロック２は、柔軟性を有する樹脂で形成され、３Ｄプリンター（Printer）により構成されている。実施形態１では、ブロック２は、熱可塑性ポリウレタン（ＴＰＵ）により構成されているが、本発明では、ブロック２が構成される柔軟性を有する樹脂は、熱可塑性ポリウレタンに限定されない。ブロック２は、柔軟性を有する樹脂で形成されているので、スリット４の幅が広がる方向に弾性変形自在であり、スリット４の幅よりも外径が大きな配管１０１であっても、幅が広げられたスリット４を通して貫通孔３内に収容することができる。
【００２５】
次に、本明細書は、前述した構成の配管整理治具１を用いて配管１０１を整列、整理させる方法を説明する。図４は、実施形態１に係る配管整理治具が図２に示された加工装置の配管に取り付けられる状態の一例を示す斜視図である。図５は、図４に示された状態の配管整理治具が複数連結された状態の一例を示す断面図である。
【００２６】
加工装置１００内に配置されかつ構成ユニット１０２に接続した複数の配管１０１を整列、整理する際には、各配管１０１の所定箇所に配管整理治具１を取り付ける。配管１０１に配管整理治具１を取り付ける際には、配管１０１の端から配管１０１を貫通孔３に通した後、配管整理治具１を配管１０１に沿って所定箇所まで移動させても良く、又は、図５に示すように、配管１０１の所定箇所をスリット４に通して貫通孔３内に挿入しても良い。こうして、まず、加工装置１００に配置される複数の配管１０１の所定箇所に配管整理治具１を取り付けて、複数の配管整理治具１を加工装置１００の配管１０１に取り付ける。なお、本発明では、一つの配管整理治具１に一つの配管１０１を取り付けても良く、複数の配管１０１を取り付けても良い。
【００２７】
各配管１０１を所定の経路に沿って配置し、配管１０１同士の予め定められた相対的な位置となるように、配管整理治具１の磁石５同士を磁力で吸着させて、例えば、図５に示すように、複数の配管整理治具１同士を固定する。このとき、複数の配管整理治具１は、図５に示すように、貫通孔３からみたスリット４の向きが等しくなるように、互いに固定されるのが好ましいが、本発明では、スリット４の向きが全て等しくなくても良い。なお、貫通孔３からみたスリット４の向きとは、互いに固定された複数の配管整理治具１の平面視において、貫通孔３の中心からスリット４に向かう方向である。
【００２８】
また、図５は、９つの配管整理治具１同士を固定した例を示しているが、本発明では、互いに固定される配管整理治具１の数、及び互いに固定される配管整理治具１同士の相対的な位置は、図５に示された例に限定されない。
【００２９】
また、図５に例示するように互いに固定された配管整理治具１は、いずれかの磁石５を加工装置１００の装置本体のいずれかの構成ユニット１０２に吸着させて、複数の配管１０１を装置本体に固定してもよい。
【００３０】
実施形態１に係る配管整理治具１は、外観が直方体形状のブロック２と、ブロック２に形成された配管１０１を通す貫通孔３と、貫通孔３を囲繞する４つの外側面２６に設置された磁石５と、を備えている。このために、貫通孔３内に配管１０１を通して、配管１０１に配管整理治具１を取り付けておくことで、加工装置１００内の狭いスペース内であっても磁石５同士を吸着させることで、配管整理治具１同士を連結させることができる。その結果、配管整理治具１は、加工装置１００内の狭いスペース内であっても配管１０１を容易に素早く束ねることを可能にするという効果を奏する。
【００３１】
また、配管整理治具１は、スリット４が形成されているので、スリット４を介して貫通孔３内に配管１０１を通すことができる。その結果、配管整理治具１は、配管１０１の端末だけではなく、ブロック２を配管１０１の中間の所定箇所に取り付けることが可能である。
【００３２】
また、配管整理治具１は、ブロック２が柔軟性を有する樹脂で形成されているので、スリット４の幅よりも太い配管１０１の中間の所定箇所に取り付けることが容易であるとともに、貫通孔３内の配管１０１をスリット４を通してブロック２外に取りだすこともできるので、配管１０１を離脱させたいときも容易に行うことができる。
【００３３】
また、配管整理治具１は、ブロック２に角が面取りされた弧状部２１が形成されているので、ブロック２同士が接触してもブロック２の特に角がかけることを抑制することができる。
【００３４】
また、配管整理治具１は、スリット４がブロック２の一つの外側面２６と他の外側面２６とに連なる角部２７に形成されているので、スリット４を形成しても各外側面２６に磁石５を設置することができる。
【００３５】
また、配管整理治具１は、各外側面２６に磁石５を設置しているので、配管整理治具１同士を固定する時に様々な形態で配管整理治具１同士を固定することができる。
【００３６】
また、配管整理治具１は、磁石５の貫通孔３を挟んで対向する（互いの間に貫通孔３を位置付ける）平面５１の磁極同士が互いに異なる極となるように、ブロック２に固定されるので、貫通孔３を挟んで対向する（互いの間に貫通孔３を位置付ける）平面５１の磁極同士が互いに異なる極同士が同じ極である場合よりも配管整理治具１同士の組み合わせに制限が生じない。
【００３７】
また、配管整理治具１は、磁石５を備えるので、配管整理治具１同士を固定した後、いずれかの磁石５を装置本体に固定して、複数の配管１０１を加工装置１００の装置本体に固定することができる。
【００３８】
なお、本発明は、上記実施形態に限定されるものではない。即ち、本発明の骨子を逸脱しない範囲で種々変形して実施することができる。
【符号の説明】
【００３９】
１  配管整理治具
２  ブロック
３  貫通孔
４  スリット
５  磁石
２４  上面
２５  底面
２６  外側面（側面）
２７  角部（側面）
１０１  配管
【図１】
2020159517.tif 000003
【図２】
2020159517.tif 000004
【図３】
2020159517.tif 000005
【図４】
2020159517.tif 000006
【図５】
2020159517.tif 000007